(57)【要約】【課題】セメントの粉体や処理用アスベスト等で発生する粉塵を処理するものとして、効果的に泡を発生させて、この泡で粉塵を確実に包み込み、大量の粉塵を長時間フイルターの掃除なしに集塵出来るので、メンテナンスが簡単な集塵装置を提供する。【解決手段】箱型のハウジング１４の水１５を張ることが可能な底部に多孔管１６を横向きに配設し、その上部空間を隔壁１７で複数の区画室１８に区画するとともに、隔壁１７の下部には少なくとも多孔管１６の周囲において隣室と連通する透孔１９を形成し、吸引ファン２０からの送気管２１を前記多孔管１６に接続し、多孔管１６の途中に界面活性剤溶液２３の注入部２４を形成し、この送気管２１の多孔管１６への接続部から一番離れた区画室１８ａには外部への排気管２６を接続した。【選択図】        図１
0003123090.tif 000002
【実用新案登録請求の範囲】
【請求項１】
箱型のハウジングの水を張ることが可能な底部に多孔管を横向きに配設し、その上部空間を隔壁で複数の室に区画するとともに、隔壁下部には少なくとも多孔管の周囲において隣室と連通する透孔を形成し、吸引ファンからの送気管を前記多孔管に接続し、送気管の途中に界面活性剤溶液の注入部を形成し、この送気管の多孔管への接続部から一番離れた室には外部への排気管を接続しことを特徴とする集塵装置。
【請求項２】
清掃用として、ハウジングは全室に跨る側面板を取り外し可能とした請求項１記載の集塵装置。
【考案の詳細な説明】
【技術分野】
【０００１】
本考案は、土木または建築工事その他で、セメント等の使用時やコンクリートなどの切断や切削孔によって発生する粉塵の飛散防止をするに、また、近年問題となっているアスベスト処理等で発生する粉塵の飛散防止をするに好適な集塵装置に関するものである。
【背景技術】
【０００２】
セメント等の粉塵の集塵装置としては、フイルターによる捕捉方式のものがほとんどである。
【０００３】
しかし、吸い込む粉塵の量が多い場合短時間でフイルターの目詰りが発生する為に、このフイルターの掃除をこまめに行なう必要があった。またフイルターに付着している粉塵を払い落とす場合周囲の環境等を考慮する必要があり非常に面倒な作業であった。
【０００４】
これに対して、泡を用いた発泡式集塵装置が下記特許文献１に示されている。
【特許文献１】特開平８−２２４７３２号
【０００５】
これは図７に示すように、発泡式集塵装置１は、泡７を供給する泡供給手段２と、泡７とこれに含まれる粉塵８を吸引する吸引手段３と、これ等の制御装置４等からなる。これらはカッタ６を有する切断装置５の周辺に配置される。
【０００６】
泡供給手段２は、泡７を噴出するノズル９と、ノズル９内に泡７を送る図略の駆動ポンプ等と泡７を蓄溜する図略のタンク等を有する泡供給源１０等からなる。一方、吸引手段３は、フレキシブルホース１１と、これに連結する図略の吸引ポンプや吸引した粉塵等を収納する図略の収納具等を有する吸引源１２等からなる。
【０００７】
使用に際しては、切断装置５の駆動に伴って泡供給手段２が作動し、切断装置５のまわりに泡７を供給する。コンクリート面１３の切断によって生じた粉塵８はカッタ６まわりに飛散するがカッタ６まわりの泡７によりその内部に封じ込まれる。この状態で吸引手段３を作動すると粉塵８を含有している泡７が吸引される。
【考案の開示】
【考案が解決しようとする課題】
【０００８】
このような特許文献１の集塵装置のように泡を利用することで、フイルターによる目詰まりを回避でき、メンテナンスを容易にすることができるが、切断装置５のまわりに泡７を供給するだけでは、飛散発生する粉塵を泡７によりその内部に封じ込めることは困難である。
【０００９】
また、吸引手段３のフレキシブルホース１１で泡７およびこの中で封じ込まれた粉塵８を吸引するとしているが、すべてを吸引除去することが難しい。
【００１０】
さらに、泡供給手段２が複雑であると装置自体のコストが高騰し、また、発生した泡７がフレキシブルホース１１の途中で消失してしまうおそれがある。
【００１１】
本考案の目的は前記従来例の不都合を解消し、セメントの粉体や処理用アスベスト等で発生する粉塵を処理するものとして、効果的に泡を発生させて、この泡で粉塵を確実に包み込み、大量の粉塵を長時間フイルターの掃除なしに集塵出来るので、メンテナンスが簡単な集塵装置を提供することにある。
【課題を解決するための手段】
【００１２】
本考案は前記目的を達成するため、箱型のハウジングの水を張ることが可能な底部に多孔管を横向きに配設し、その上部空間を隔壁で複数の室に区画するとともに、隔壁下部には少なくとも多孔管の周囲において隣室と連通する透孔を形成し、吸引ファンからの送気管を前記多孔管に接続し、送気管の途中に界面活性剤溶液の注入部を形成し、この送気管の多孔管への接続部から一番離れた室には外部への排気管を接続したこと、および、清掃用として、ハウジングは全室に跨る側面板を取り外し可能としたことを要旨とするものである。
【００１３】
請求項１記載の本考案によれば、セメントの粉体や処理用アスベスト等で発生する粉塵は、吸引ファンからの送気管に取り込まれ、多孔管に送り込まれるが、送気管に途中で注入される界面活性剤溶液が、多孔管の孔から水に噴出される粉塵エアーにより泡として形成され、この泡の中を通ることで、粉塵は泡に補足される。
【００１４】
そして、本考案において、底部に横向きに配設された多孔管の上部空間を隔壁で複数の室に区画することが重要であり、これら複数の区画室はそれぞれに泡は発生するものの、送気管の多孔管への接続部から一番離れた区画室、すなわち、一番奥の区画室に集められ、ここで密集されるので、十分な粉塵の補足が行われる。
【００１５】
また、粉塵を除去した空気は、排気管から外部に放出される。
【００１６】
請求項２記載の本考案によれば、清掃用として、ハウジングは全室に跨る側面板を取り外し可能としたので、側面板を取り外してハウジング内を簡単に洗浄できる。
【考案の効果】
【００１７】
以上述べたように本考案の集塵装置は、効果的に泡を発生させて、この泡で粉塵を確実に包み込み、大量の粉塵を長時間フイルターの掃除なしに集塵出来るので、メンテナンスが簡単なものである。
【考案を実施するための最良の形態】
【００１８】
以下、図面について本考案の実施の形態を詳細に説明する。図１は本考案の集塵装置の１実施形態を示す縦断正面図、図２は同上側面図で、図中１４は鋼製等の箱型のハウジングであり、これは底部に水１５を張ることが可能なものである。
【００１９】
このハウジング１４の底部に小孔１６ａを多数形成した多孔管１６を横向きに配設した。多孔管１６は鋼管によるもので、その先端部はハウジング１４の壁で閉塞される。
【００２０】
また、ハウジング１４内でこの多孔管１６の上部空間を隔壁１７で複数の区画室１８に区画した。なお、この隔壁１７の下端部はハウジング１４の底板には到達せず、各区画室１８は隔壁１７の下端において連通するものとした。
【００２１】
図３に示すように、隔壁１７の下部には少なくとも多孔管１６の周囲において隣室の区画室１８と連通する透孔１９を多数形成する。
【００２２】
ハウジング１４の上部の外側に吸引ファン２０を設置し、この吸引ファン２０からの送気管２１を前記ハウジング１４内の多孔管１６に接続した。図中２０ａは吸引ファン２０の駆動モータである。
【００２３】
吸引ファン２０には吸引ノズル２２としてジャバラ管による可撓管を接続してもよい。
【００２４】
前記送気管２１の途中、図示の例では送気管２１が上下にベンダー部を有するコ字形のものであり、このうち上部ベンダー部に界面活性剤溶液２３の注入部２４を形成した。
【００２５】
また、この送気管２１の多孔管１６への接続部２５から一番離れた区画室１８ａには外部への排気管２６を接続し、その先端に穴あきフード２７を設けた。
【００２６】
図中、２８はハウジング１４の外側で、前記区画室１８ａの上下に開口する、サイホン形式のレベル管である。
【００２７】
なお、図５に示すようにハウジング１４は区画室１８ａに跨る側面板１４ａをネジ止めその他で着脱自在に係止し、取り外し可能とした。この取り外し可能な側面板１４ａはハウジング１４の左右のいずれか一方に取り付くものでよい。
【００２８】
次に使用法及び動作について説明すると、まず、ハウジング１４内に水１５を張っておく。水１５は隔壁１７の下方を通じて各区画室１８ａに行き渡る。
【００２９】
吸引ファン２０を駆動するとともに、洗剤その他の界面活性剤溶液２３を注入部２４から投入すると、これが吸引ファン２０からのエアーとともに多孔管１６の小孔１６ａから水１５中に噴射され、この多孔管１６が起泡装置として作用して泡２９を水１５の水面に発生させる。
【００３０】
吸引ファン２０の作用により、吸引ノズル２２から吸い込まれた粉塵を含むエアーは次々に多孔管１６に送られ、均等に噴出するのではなく、先端部分からより多く噴出する。また、エアーの動きに応じて水の流れも生じ、発生した泡２９は図６に示すように送気管２１の多孔管１６への接続部２５から一番離れた区画室１８ａに集中する。各区画室１８の水面にも泡２９は発生するが、水とともに透孔１９を介して区画室１８ａへと流れて集められる。
【００３１】
これにより、区画室１８ａにおいて粉塵は２９に効果的に泡２９に取り込まれ、粉塵が除去されたエアーのみが排気管２６から外部に排出される。
【００３２】
泡２９および水１５は、別途排出機構を設けて排出してもよいし、側面板１４ａを外して排出し、その状態でハウジング１４内の清掃を行ってもよい。
【００３３】
なお、以上の実施形態では、区画室１８ａはこれを端に設ける例について説明したが、他の実施形態としてハウジング１４の中央に形成することも可能であり、その場合は送気管２１はハウジング１４の左右に設けられ、この送気管２１に接続する多孔管１６も一本の場合と、2本の場合とがある。
【００３４】
さらに、ハウジング１４の底部を傾斜させたものとし、横向きに配設する多孔管１６も傾斜させたものであってもよい。
【図面の簡単な説明】
【００３５】
【図１】本考案の集塵装置の１実施形態を示す縦断正面図である。
【図２】本考案の集塵装置の１実施形態を示す側面図である。
【図３】隔壁の正面図である。
【図４】隔壁の横断平面図である。
【図５】側面板を付けた状態の一部切り欠いた正面図である。
【図６】泡の動きを示す説明図である。
【図７】集塵装置の従来例を示す説明図である。
【符号の説明】
【００３６】
１…発泡式集塵装置                      ２…泡供給手段
３…吸引手段                            ４…制御装置
５…切断装置                            ６…カッタ
７…泡                                  ８…粉塵
９…ノズル                              １０…泡供給源
１１…フレキシブルホース                １２…吸引源
１３…コンクリート面                    １４…ハウジング
１４ａ…側面板                          １５…水
１６…多孔管                            １６ａ…小孔  
１７…隔壁                              １８、１８ａ…区画室
１９…透孔                              ２０…吸引ファン
２０ａ…駆動モータ                      ２１…送気管
２２…吸引ノズル                        ２３…界面活性剤溶液
２４…注入部                            ２５…接続部
２６…排気管                            ２７…穴あきフード
２８…レベル管                          ２９…泡
【図１】
0003123090.tif 000003
【図２】
0003123090.tif 000004
【図３】
0003123090.tif 000005
【図４】
0003123090.tif 000006
【図５】
0003123090.tif 000007
【図６】
0003123090.tif 000008
【図７】
0003123090.tif 000009